(57)【要約】【課題】  表示パネルを有する表示装置において、デザイン性に優れた表示装置を提供する。【解決手段】  情報を表示画面１１に表示する表示パネル１と、表示パネル１の表示画面１１側に接着され表示画面１１を視認可能とする透光部２１を有する保護カバー２と、表示パネル１を背後から照明する照明部材３と、表示パネル１と照明部材３とを収容するハウジング部材５と、を備え、照明部材３とハウジング部材５とは、初期的に流動性を有し、後に硬化する接着部材６により固定される。【選択図】  図２
2019148723.tif 000002
【特許請求の範囲】
【請求項１】
情報を表示画面に表示する表示パネルと、
前記表示パネルの前記表示画面側に配置され、前記表示画面を視認可能とする透光部を有する保護カバーと、
前記表示パネルを背後から照明する照明部材と、
前記表示パネルと前記照明部材とを収容するハウジング部材と、を備え、
前記照明部材と前記ハウジング部材とは、初期的に流動性を有し、後に硬化する接着部材により固定されることを特徴とする表示装置。
【請求項２】
前記接着部材は、遮光性を有することを特徴とする請求項１に記載の表示装置。
【請求項３】
前記表示パネルと前記照明部材との間に配置される第１の緩衝部材を有することを特徴とする請求項１に記載の表示装置。
【請求項４】
前記保護カバーと前記ハウジング部材との間に配置される第２の緩衝部材を有することを特徴とする請求項１に記載の表示装置。
【請求項５】
前記保護カバーは、前記接着部材を視認不可とする遮光部を有することを特徴とする請求項１に記載の表示装置。
【請求項６】
前記表示パネルと前記保護カバーとを接着する透明樹脂層を有することを特徴とする請求項１に記載の表示装置。
【請求項７】
前記照明部材は、光源と、前記光源からの光を導光する導光部材と、前記導光部材からの光を透過する光学シートと、を有し、
前記接着部材は、前記光学シートと前記ハウジング部材のみを固定することを特徴とする請求項１に記載の表示装置
【発明の詳細な説明】
【技術分野】
【０００１】
本開示は、表示パネルを有する表示装置に関するものである。
【０００２】
従来より、表示器を保護する保護カバーを備えた表示装置が種々提案されており、例えば特許文献１に開示されている。斯かる表示装置は、液晶表示器と回路基板とを、保護カバーとハウジングからなる筐体に収容したものである。保護カバーは、透光性樹脂からなるものであり、液晶表示器の画面は、保護カバーを通して視認される。液晶表示器は、液晶表示パネル及びバックライトモジュールをケース体に収納したものである。液晶表示器のケース体は、回路基板の前面に固定されている。
【先行技術文献】
【特許文献】
【０００３】
【特許文献１】特開２０１７−１１１３１２号公報
【発明の概要】
【発明が解決しようとする課題】
【０００４】
近年、画面と表示装置の外形との距離が狭いデザインが好まれるようになっている。しかしながら、上記した表示装置では、液晶表示器をケース体で覆い、更に、その外側をハウジングで覆う必要があるため、画面と表示装置の外形との距離が大きくなるといった問題点を有していた。
【０００５】
そこで、本開示は、上記問題点に鑑みてなされたものであり、表示パネルを有する表示装置において、デザイン性に優れた表示装置を提供することを目的とする。
【課題を解決するための手段】
【０００６】
本開示は、情報を表示画面１１に表示する表示パネル１と、前記表示パネル１の前記表示画面１１側に配置され、前記表示画面１１を視認可能とする透光部２１を有する保護カバー２と、前記表示パネル１を背後から照明する照明部材３と、前記表示パネル１と前記照明部材３とを収容するハウジング部材５と、を備え、前記照明部材３と前記ハウジング部材５とは、初期的に流動性を有し、後に硬化する接着部材６により固定されることを特徴とする。
【発明の効果】
【０００７】
本開示によれば、表示パネルを有する表示装置において、デザイン性に優れた表示装置を提供することができる。
【図面の簡単な説明】
【０００８】
【図１】本開示の第１の実施形態を示す表示装置の正面図。
【図２】図１中のＡ−Ａ線に沿った断面図。
【図３】図１中のＢ−Ｂ線に沿った断面図。
【図４】図１のハウジング部材と照明部材を示す図。
【図５】図２における本開示の第２の実施形態を示す図
【発明を実施するための形態】
【０００９】
本開示の表示装置の第１の実施形態を図１乃至４に示す。表示装置は、車両（例えば、自動車）のダッシュボードの上に搭載され、図１に示すように、所定の計測量（車両速度など）を表示する計器装置（いわゆるメータ）１００である。
【００１０】
尚、以下では、計器装置１００の構成の理解を容易にするために、説明中、計器装置１００から車両運転席に着座したユーザーを見る方向を「前」といい、奥側を「後」という。
【００１１】
計器装置１００は、車両情報を表示画面１１に表示する表示パネル１と、表示画面１１側に配置され、表示画面１１を視認可能とする透光部２１を有する保護カバー２と、表示パネル１を背後から照明する照明部材３と、表示パネル１を制御する制御手段を実装し表示パネル１に駆動信号を出力する回路基板４と、表示パネル１，照明部材３，回路基板４を収容するハウジング部材５と、照明部材３とハウジング部材５とを接着固定する接着部材６と、表示パネル１と照明部材３との間に配置される第１の緩衝部材７と、保護カバー２とハウジング部材５との間に配置される第２の緩衝部材８と、から構成される。
【００１２】
表示パネル１は、例えば、ＴＦＴ（Ｔｈｉｎ  Ｆｉｌｍ  Ｔｒａｎｓｉｓｔｏｒ）型の液晶ディスプレイ（ＬＣＤ：Ｌｉｑｕｉｄ  Ｃｒｙｓｔａｌ  Ｄｉｓｐｌａｙ）からなる。また、表示パネル１は、表示画面１１に、車両速度１１ａや残燃料１１ｂ等の車両情報を表示する。
【００１３】
また、表示パネル１は、図示しないフレキシブル配線板（ＦＰＣ：Ｆｌｅｘｉｂｌｅ  Ｐｒｉｎｔｅｄ  Ｃｉｒｃｕｉｔｓ）を有し、このフレキシブル配線板が、回路基板４に実装されたコネクタに接続されることにより、回路基板４と通電される。
【００１４】
保護カバー２は、透光性の合成樹脂（例えばアクリルなど）からなり、平面状に形成され、表示パネル１の前面を覆うものである。また、保護カバー２は、裏面に遮光性インクが印刷された遮光部２２を有する。遮光部２２は、表示パネル１の表示画面１１を透視可能とする透光部２１を除き、保護カバー２の外周の縁に至るまで形成されている。また、遮光部２２は、接着部材６を前面側から視認不可とするように形成されている。尚、保護カバー２は、無機ガラスからなるものであってもよい。
【００１５】
表示パネル１と保護カバー２は、透明樹脂層９により接着されている。透明樹脂層９は、透明光学粘着（ＯＣＡ：Ｏｐｔｉｃａｌ  Ｃｌｅａｒ  Ａｄｈｅｓｉｖｅ）シートから構成されており、保護カバー２の裏面と表示パネル１の前面の表示画面１１との間に隙間なく重ね合わされて、両者を接着する。尚、透明樹脂層９は、ゲル状の透明材料が充填されてもよい。
【００１６】
透明樹脂層９は、その厚さは３００μｍ〜１０００μｍ程度となっており、また、その屈折率は１．４５〜１．５５となっており、保護カバー２の屈折率と略同等の屈折率に設定されている。
【００１７】
また、透明樹脂層９は、図２，３に示すように、透光部２１に対向し、かつ、遮光部２２に重なるように形成されている。また、透明樹脂層９は、表示パネル１と保護カバー２とを接合するにあたって、少なくとも一方に塗布し、その後、透明樹脂層９を用いて表示パネル１と保護カバー２とを貼り合わせた後、透明樹脂層９を硬化（例えばＵＶ硬化）させることで、接着性を得ることができる。
【００１８】
照明部材３は、表示パネル１の後方に配設されており、表示パネル１を透過照明する。また、照明部材３は、光源３１と、光源３１からの光を導光する導光部材３２と、導光部材３２からの光を透過する光学シート３３と、を有する。
【００１９】
光源３１は、適宜色を発するトップビュー型のチップ型発光ダイオード（ＬＥＤ：Ｌｉｇｈｔ  Ｅｍｉｔｔｉｎｇ  Ｄｉｏｄｅ）からなる。光源３１は、光源基板３４の上に複数個実装されている。この光源基板３４は、ハウジング部材５に固定されている。また、光源基板３４は、ＦＰＣ等の各種導通手段により、回路基板４に接続されている。
【００２０】
導光部材３２は、図３に示すように、透光性の合成樹脂（例えばアクリルなど）からなり、光源３１の点灯によりその照射光を端部３２ａから受けて、導光部材３２内に光を入射し、その光を表示パネル１の方へ出射する。また、導光部材３２の背後には、反射シート３５が密着配置されている。反射シート３５は、白色の樹脂シートからなり、導光部材３２を導光する光の導光効率を向上させると共に、光を表示パネル１の方へ反射させる。
【００２１】
光学シート３３は、表示パネル１と導光部材３２の間に配設されており、導光部材３２から発せられた照明光を拡散させる。本開示では、光学シート３３は、前面に２枚設けられる表面に筋状の凹凸のあるプリズムシート３３ａ，３３ｂと、その背後に１枚設けられる表面に粒々状の凹凸のある拡散シート３３ｃと、の計３枚が設けられている。尚、本開示のプリズムシートは、表面に凹凸のあるＢＥＦ（Ｂｒｉｇｈｔｎｅｓｓ  Ｅｎｈａｎｃｅｍｅｎｔ  Ｆｉｌｍ）等の光学フィルムである。光学シート３３としての枚数や順序、種類としては、適宜設定して配置するようにしてもよい。
【００２２】
また、図４に示すように、導光部材３２，光学シート３３，反射シート３５は、それぞれ位置決め孔Ｈを有する。位置決め孔Ｈは、ハウジング部材５に形成された位置決めピン５２に挿入される。このように形成されることで、導光部材３２，光学シート３３，反射シート３５は、ハウジング部材５に位置決めされる。
【００２３】
回路基板４は、例えばＦＲ−４（Ｆｌａｍｅ  Ｒｅｔａｒｄａｎｔ−４）等の平板状のガラスエポキシ系基材に配線パターンを施した硬質配線基板からなる。また、回路基板４は、表示パネル１や光源基板３４を駆動・制御させるための指令信号（駆動信号）を出力する制御手段，抵抗，コンデンサ等の各種回路部品（図示せず）を実装する。
【００２４】
また、回路基板４は、照明部材３の背後のハウジング部材５の一部が背後に突出して形成された凸部５１に収容されている。また、回路基板４は、ネジなどの固定具で、ハウジング部材５に固定されている。また、回路基板４は、表示パネル１，光源基板３４と電気的に接続されている。
【００２５】
ハウジング部材５は、マグネシウム等の金属からなり、前方が開口した箱体形状に形成され、内部に表示パネル１，照明部材３，回路基板４を収容する。また、ハウジング部材５は、表面の酸化を防止する処置として、例えば、表面全体に陽極酸化被膜処理が施されている。回路基板４を収容する凸部５１は、図４に示すように、ハウジング部材５の外形の内側に形成されている。尚、ハウジング部材５は、アルミニウム等の金属からなるものであってもよい。
【００２６】
第１の緩衝部材７は、黒色等の遮光性で弾性を有する例えばゴムやスポンジ等の材料からなり、厚みのある略長方形に形成されている。第１の緩衝部材７は、図２、３に示すように、表示パネル１と照明部材３との間に圧縮状態で保持されることで反発力を持ち、照明部材３の防振用として機能する。
【００２７】
また、第１の緩衝部材７は、図４に示すように、照明部材３の外周に配置され、照明部材３側の面に両面接着テープが貼着され、照明部材３に貼り付けられている。また、第１の緩衝部材７は、接着部材６の塗布範囲の内側に配置されているため、接着部材６の塗布時において、接着部材６が表示パネル１と照明部材３との隙間に流入することを防止することができる。
【００２８】
第２の緩衝部材８は、黒色等の遮光性を有する厚みのある両面テープからなる。第２の緩衝部材８は、図２、３に示すように、保護カバー２とハウジング部材５との間に保持される。また、第２の緩衝部材８は、保護カバー２の外周を取り巻くように配置され、保護カバー２とハウジング部材５とを接着する。
【００２９】
このように形成されることにより、計器装置１００は、保護カバー２とハウジング部材５とにより閉じられた筐体で形成される。
【００３０】
接着部材６は、接着性のエポキシ系樹脂材料やシリコン系樹脂材料などからなり、初期的に液状で流動性を有し、後に自然乾燥により硬化する常温硬化性の接着剤である（後に熱を加えて硬化する熱硬化性の接着剤であってもよい）。また、接着部材６は、黒色顔料を配合した黒色の着色接着剤からなり、遮光性を有する。また、接着部材６は、図２に示すように、照明部材３の側面とハウジング部材５との間に注入され、両者を接着固定する。
【００３１】
また、接着部材６は、図４に示すように、照明部材３の外周の光源３１以外の３辺に塗布される。つまり、接着部材６は、光学シート３３，導光部材３２，反射シート３５と、ハウジング部材５とを接着固定する。このように形成されることにより、光源３１に接着部材６が塗布されてしまい、光源３１からの光を遮蔽する虞を回避することができる。
【００３２】
以上、このように形成されることにより、保護カバー２の面方向において、保護カバー２とハウジング部材５は第２の緩衝部材８で接着されるので、幅を取る固定構造を必要としない。また、ハウジング部材５は金属なので、板厚を薄くできる。また、照明部材３とハウジング部材５との間は接着部材６で固定されるので、幅を取る固定構造を必要としない。よって、表示画面１１と計器装置１００の外形との距離が小さい（遮光部２２の外周方向の幅Ｗが小さい）、見栄えの商品性の高い表示装置を提供することができる。
【００３３】
また、このように形成されることにより、保護カバー２の法線方向において、保護カバー２と表示パネル１との間は透明樹脂層９のみなので、空隙を小さくできる。また、照明部材３とハウジング部材５は密着しているので、空隙がほぼ無し（零）にできる。また、ハウジング部材５は金属なので、板厚を薄くできる。また、ハウジング部材５の凸部５１は、外周側には形成されない。よって、保護カバー２の前面とハウジング部材５の背面の厚さＴが薄い、見栄えの商品性の高い表示装置を提供することができる。
【００３４】
本開示の第２の実施形態を図５に示す。前述した第１の実施形態と同一部分、均等部箇所については同一符号を付して説明する。
【００３５】
第１の実施形態では、接着部材６は、接着部材６は、光学シート３３，導光部材３２，反射シート３５と、ハウジング部材５とを接着固定していたが、第２の実施形態では、接着部材６は、光学シート３３とハウジング部材５のみを接着固定する。より詳細に説明すると、接着部材６は、プリズムシート３３ａのみに塗布され、プリズムシート３３ａのみをハウジング部材５に接着する。このとき、プリズムシート３３ｂ，拡散シート３３ｃ，導光部材３２，反射シート３５は、適宜両面テープで固定されている。
【００３６】
図２及び図５に示すように、プリズムシート３３ａは、プリズムシート３３ｂや拡散シート３３ｃよりも外形が大きく形成されているため、プリズムシート３３ａのみをハウジング部材５に接着することを容易にすることができる。
【００３７】
このように形成されることにより、接着部材６の塗布量を少なくし、接着部材６の塗布工程の時間を短縮することができる。
【００３８】
尚、本発明の表示装置を上記した実施形態の構成にて例に挙げて説明したが、本発明はこれに限定されるものではなく、他の構成においても、本発明の要旨を逸脱しない範囲において種々の改良、並びに設計の変更が可能なことは勿論である。
【００３９】
表示装置の表示手段である表示パネル１は、マルチドットタイプやセグメントタイプのものであってもよく、単色表示やフルカラー表示及びポジ・ネガ表示は問わない。また、照明手段である光源３１としてＬＥＤを用いていたが、他の照明手段であってもよい。
【００４０】
本開示は、車両用の表示装置に関し、例えば、自動車やオートバイ、あるいは農業機械や建設機械を備えた移動体に搭載される車両用の表示装置に適用することができる。
【符号の説明】
【００４１】
１  表示パネル
１１  表示画面
２  保護カバー
２１  透光部
２２  遮光部
３  照明部材
３１  光学シート
３２  導光部材
５  ハウジング部材
６  接着部材
７  第１の緩衝部材
８  第２の緩衝部材
９  透明樹脂層
【図１】
2019148723.tif 000003
【図２】
2019148723.tif 000004
【図３】
2019148723.tif 000005
【図４】
2019148723.tif 000006
【図５】
2019148723.tif 000007